(57)【特許請求の範囲】
【請求項１】
収納されたエアバッグを覆うとともに、このエアバッグの膨張時にこのエアバッグの膨張圧力により展開する扉部を形成するエアバッグ装置のカバー体であって、
相対向する第１の辺部及び相対向する第２の辺部を有するアウタ扉予定部、及び前記各第１の辺部に対応する第１の脆弱辺部及び前記各第２の辺部に対向する第２の脆弱辺部を有し、前記アウタ扉予定部の外縁部を区画する枠状の脆弱部を備えたアウタ部材と、
相対向する第１の対向辺部及び相対向する第２の対向辺部を有し前記アウタ扉予定部の前記エアバッグ側に配置されたインナ扉予定部、このインナ扉予定部を囲むインナ外郭部、前記インナ扉予定部の一の前記第１の対向辺部と前記インナ外郭部とを前記脆弱部の一の前記第１の脆弱辺部を跨いで連結するヒンジ部、及び前記インナ扉予定部の前記各第２の対向辺部のそれぞれと前記インナ外郭部とを破断可能に前記脆弱部の前記各第２の脆弱辺部に沿って連結する連結部を備えたインナ部材と
を具備し、
前記インナ扉予定部は、前記ヒンジ部及び前記連結部を除く部分が前記インナ外郭部に対して分離されている
ことを特徴とするエアバッグ装置のカバー体。
【請求項２】
連結部は、インナ扉予定部の他の第１の対向辺部から離間された位置でこのインナ扉予定部の各第２の対向辺部のそれぞれとインナ外郭部とを破断可能に脆弱部の各第２の脆弱辺部に沿って連結する
ことを特徴とする請求項１記載のエアバッグ装置のカバー体。
【発明の詳細な説明】
【技術分野】
【０００１】
本発明は、エアバッグの膨出時にこのエアバッグが膨出する圧力により展開するエアバッグ装置のカバー体に関する。
【背景技術】
【０００２】
従来、自動車のインストルメントパネルに配置される助手席乗員用のエアバッグ装置が知られている。このエアバッグ装置は、箱状をなすケース体を備え、このケース体の内側に、折り畳まれたエアバッグと、このエアバッグを膨張させるガスを噴射するインフレータとを収納しているとともに、ケース体の上側の開口部は、インストルメントパネルと一体に、すなわちシームレスに形成されたシームレスデザインのカバー体により覆われている。そして、このカバー体には、平面略Ｈ字状や平面略Ｃ字状などの破断可能な引き裂き目であるテアラインが形成され、このテアラインに囲まれた部分が扉予定部として区画形成されている。この扉予定部は、この扉予定部を囲む外郭部である外側リムに対して、柔軟性を有する蝶番部材、すなわちヒンジ部を介して接続されている。そして、自動車の衝突時には、インフレータから膨張ガスが吹き込まれたエアバッグが、このエアバッグの膨出側を覆う扉予定部を押し上げ、その膨張の圧力によりテアラインを破断してドアフラップすなわち扉部が開くように構成されている（例えば、特許文献１参照。）。
【先行技術文献】
【特許文献】
【０００３】
【特許文献１】特表２００２−５０７１７２号公報  （第６−８頁、図３）
【発明の概要】
【発明が解決しようとする課題】
【０００４】
しかしながら、エアバッグは、扉部全体に押し上げ力を作用させるため、ヒンジ部にも押し上げ力が作用する。すなわち、扉部全体がヒンジ部とともに隆起する傾向を有する。したがって、ヒンジ部に負荷が加わるので、この負荷に耐えられるようにすると、ヒンジ部を柔軟でかつしなやかにすることが容易でない。そして、ヒンジ部の柔軟性やしなやかさが低下すると、扉部の回動（展開）動作に抵抗が生じ、エアバッグの一次ピーク圧が高まり、エアバッグ及びカバー体などに加わる衝撃が高まらないように、膨張ガスの圧力を調整したり、高価な部材を使用したりする必要がある。
【０００５】
したがって、エアバッグ膨張時の扉部の展開をより円滑にすることが望まれている。
【０００６】
本発明は、このような点に鑑みなされたもので、エアバッグの膨出時の扉部の展開を円滑にしたエアバッグ装置のカバー体を提供することを目的とする。
【課題を解決するための手段】
【０００７】
請求項１記載のエアバッグ装置のカバー体は、収納されたエアバッグを覆うとともに、このエアバッグの膨張時にこのエアバッグの膨張圧力により展開する扉部を形成するエアバッグ装置のカバー体であって、相対向する第１の辺部及び相対向する第２の辺部を有するアウタ扉予定部、及び前記各第１の辺部に対応する第１の脆弱辺部及び前記各第２の辺部に対向する第２の脆弱辺部を有し、前記アウタ扉予定部の外縁部を区画する枠状の脆弱部を備えたアウタ部材と、相対向する第１の対向辺部及び相対向する第２の対向辺部を有し前記アウタ扉予定部の前記エアバッグ側に配置されたインナ扉予定部、このインナ扉予定部を囲むインナ外郭部、前記インナ扉予定部の一の前記第１の対向辺部と前記インナ外郭部とを前記脆弱部の一の前記第１の脆弱辺部を跨いで連結するヒンジ部、及び前記インナ扉予定部の前記各第２の対向辺部のそれぞれと前記インナ外郭部とを破断可能に前記脆弱部の前記各第２の脆弱辺部に沿って連結する連結部を備えたインナ部材とを具備し、前記インナ扉予定部は、前記ヒンジ部及び前記連結部を除く部分が前記インナ外郭部に対して分離されているものである。
【０００８】
請求項２記載のエアバッグ装置のカバー体は、請求項１記載のエアバッグ装置のカバー体において、連結部は、インナ扉予定部の他の第１の対向辺部から離間された位置でこのインナ扉予定部の各第２の対向辺部のそれぞれとインナ外郭部とを破断可能に脆弱部の各第２の脆弱辺部に沿って連結するものである。
【発明の効果】
【０００９】
請求項１記載のエアバッグ装置のカバー体によれば、インナ部材のインナ扉予定部の一の第１の対向辺部とインナ扉予定部を囲むインナ外郭部とを脆弱部の一の第１の脆弱辺部を跨いでヒンジ部により連結するとともに、インナ扉予定部の各第２の対向辺部とインナ外郭部とを破断可能に脆弱部の各第２の脆弱辺部に沿って連結部にて連結し、かつ、インナ扉予定部のヒンジ部及び連結部を除く部分をインナ外郭部に対して分離することにより、エアバッグの膨張圧力が脆弱部の一の第１の脆弱辺部側に加わることを抑制してヒンジ部の伸び変形及び脆弱部の一の第１の脆弱辺部の破断を遅らせて脆弱部の他の第１の脆弱辺部側にエアバッグの膨張圧力を集中させることができ、扉部を脆弱部の他の第１の脆弱辺部側から一の第１の脆弱辺部側へと順次円滑に開裂させて円滑に展開させることができる。
【００１０】
請求項２記載のエアバッグ装置のカバー体によれば、請求項１記載のエアバッグ装置のカバー体の効果に加え、連結部が、インナ扉予定部の他の第１の対向辺部から離間された位置でこのインナ扉予定部の各第２の対向辺部とインナ外郭部とを破断可能に脆弱部の各第２の脆弱辺部に沿って連結することにより、インナ扉予定部の一の第１の対向辺部側に連結部を介してインナ外郭部へと連結する連結ラインを形成し、エアバッグの膨張圧力を脆弱部の他の第１の脆弱辺部側へとより確実に集中させて、この脆弱部の他の第１の脆弱辺部をより円滑に開裂させることができる。
【図面の簡単な説明】
【００１１】
【図１】本発明のエアバッグ装置のカバー体の一実施の形態のインナ部材のエアバッグの膨張による初期の変形状態を模式的に示す斜視図である。
【図２】同上エアバッグ装置の展開挙動を側面側から示す説明図である。
【図３】同上エアバッグ装置の展開挙動を正面側示す説明図である。
【図４】同上カバー体を模式的に示す分解斜視図である。
【図５】同上エアバッグの展開時のカバー体のエアバッグの膨張による初期の変形状態を模式的に示す斜視図である。
【図６】同上エアバッグ装置を備えた車体の一部を示す斜視図である。
【発明を実施するための形態】
【００１２】
以下、本発明の一実施の形態を図面を参照して説明する。
【００１３】
図２、図３、図５及び図６において、10はエアバッグ装置で、このエアバッグ装置10は、自動車のインストルメントパネル部13の上部に備えられる助手席乗員用のエアバッグ装置10を構成するものである。そして、インストルメントパネル部13は、車室の前部に車幅方向の略全長に亘り設けられ、このインストルメントパネル部13の上方には、フロントウィンドウガラス14が位置している。そして、このインストルメントパネル部13の内部には、助手席の乗員に対向して、エアバッグ装置10が設置されている。そして、このエアバッグ装置10は、被取付部材でありリテーナとも呼ばれるケース体15と、このケース体15の下部に配置されたインフレータ16と、ケース体15の上部に折り畳んで収納されたエアバッグ17と、このエアバッグ17すなわちケース体15の上部の開口部15aを覆うカバー体18とを備えている。また、ケース体15の下部（底部）には、上下に連通するガス噴出口15bが設けられている。さらに、ケース体15の上部の外側面には、被取付部として断面略Ｃ字状などのフック15cが取り付けられている。また、インフレータ16は、例えば円柱状に形成され、燃焼タイプ（パイロタイプ）、あるいはガスを圧縮して貯留するストアードタイプ、これらを組み合わせたハイブリッドタイプなど、各種のインフレータ16が用いられる。そして、このエアバッグ装置10は、ケース体15が、ブラケット19を介して車体側部材20に取り付けられている。
【００１４】
そして、このエアバッグ装置10を備えた自動車が衝突などすると、インフレータ16から供給されるガスによりエアバッグ17が膨張し、この膨張圧力により、カバー体18を破断し、エアバッグ17の膨出側である所定方向としての上方に向かってエアバッグ17が突出し、エアバッグ17が乗員の前方に膨張展開する。なお、以下、エアバッグ17の膨出側すなわち乗員側である所定方向を上方（図２などに示す矢印Ａ方向）、正面側あるいは表面側とし、膨出側の反対側を下方（図２などに示す矢印Ｂ方向）、背面側あるいは裏面側として説明する。また、このエアバッグ装置10を自動車に取り付けた状態における前後方向及び両側方向を、前後方向及び両側方向として説明するが、エアバッグ装置10の取付状態は、この構成に限られず、例えば、膨出側が後側上方あるいは後方に向かう状態で取り付けることもできる。
【００１５】
そして、カバー体18は、いわゆるインストルメントパネルを構成するアウタ部材21、このアウタ部材21の裏面側に例えば一体的に取り付けられた補強用のインナ部材22、及びアウタ部材21の表面側を覆って形成された図示しない表皮部などを備え、自動車用の内装パネルであるインストルメントパネル部13に一体的に構成されるいわゆるシームレスリッドあるいはシームレスインパネと呼ばれる内装部材を構成している。そして、このカバー体18は、エアバッグ17の膨張により破断されて展開するドアフラップとしてのエアバッグ膨出扉である扉部24を形成する。
【００１６】
図２ないし図６に示すアウタ部材21は、アウター、表皮パネル、アウタパネル、パネル体、リッドアウターなどとも呼ばれるもので、例えば所定の合成樹脂を金型に射出して形成した射出成形品で、いわゆる硬質の樹脂にて形成されている。そして、このアウタ部材21は、インストルメントパネル部13の表面側を一体的に覆って外部に露出し、車室の前部に車幅方向の略全長にわたり略板状に設けられている。
【００１７】
また、このアウタ部材21の裏面側には、ケース体15の上部の開口部15aに略対向して、脆弱部としての薄肉部25が形成されており、この薄肉部25により外縁部が区画された部分が前後一対のアウタ扉予定部26，26となっているとともに、この薄肉部25の外方、すなわちアウタ扉予定部26，26を囲む部分が非展開部であるアウタ外郭部27となっている。
【００１８】
また、薄肉部25は、テアライン、テア、テア溝、破断予定部、開裂予定溝、扉予定線部あるいは破断部などとも呼び得るもので、アウタ扉予定部26及びアウタ外郭部27よりも脆弱で、破断可能及び変形容易な弱部であり、本実施の形態では、前後両端部を両側に延びる一の第１の脆弱辺部としての一の長辺であるヒンジ縁薄肉部としてのヒンジ縁予定部25a，25a、中央部をこれらヒンジ縁予定部25a，25aと略平行に両側に延びる他の第１の脆弱辺部としての他の長辺である自由縁予定部25b、及び、これらヒンジ縁予定部25a，25aと自由縁予定部25bとの互いに対向する端末である両側間に延在し各予定部25a，25bよりも短い対をなす第２の脆弱辺部としての短辺である外郭テアラインとしての側部開裂予定部25c，25c，25c，25cとを有した略「日」の字状で、いわば閉ループ状である四角形枠状のテアラインを組み合わせた構成になっている。この薄肉部25は、射出成形時に金型のキャビティの形状により成形され、鈍角状に下方に開く断面三角状の溝部により、各予定部25a，25b，25cのそれぞれの略中央部のいわばテアセンター部が最も厚さ寸法が小さい最薄部である破断予定線28となっている。そして、薄肉部25は、この破断予定線28に沿って破断することが好ましく、この破断予定線28がいわば所望の破断位置となっている。
【００１９】
また、各アウタ扉予定部26は、通常時に折り畳んで収納されたエアバッグ17の膨出側を覆い、エアバッグ17の膨出時には扉部24を構成する部分であり、相対向する第１の辺部としての長辺部26a，26aと、これら長辺部26a，26aよりも短い相対向する第２の辺部としての短辺部26b，26bとを備えた、平面四角形（長方形）状に形成されている。各アウタ扉予定部26は、ヒンジ縁予定部25a、自由縁予定部25b、及び側部開裂予定部25c，25cにより外縁部が区画されている。すなわち、一の長辺部26aに対してヒンジ縁予定部25aが対応し、他の長辺部26aに対して自由縁予定部25bが対応し、各短辺部26bに対して各側部開裂予定部25cが対応している。
【００２０】
また、アウタ外郭部27には、インナ部材22を位置決めするための位置決め凸部31が突設されている。また、このアウタ外郭部27の外縁部近傍には、アウタ部材21をインストルメントパネル部13に係止部材であるクリップ32などを介して係止するための係止凸部33が複数突設されている。
【００２１】
一方、インナ部材22は、図１ないし図５に示すように、インナー、バッキング、バッキング部材、あるいはリッドインナーなどとも呼ばれるもので、アウタ部材21を構成する材料よりも軟質の材料にて形成された軟質樹脂製で、薄肉部25の内側及び外側に位置してアウタ部材21に接合されている。
【００２２】
そして、このインナ部材22は、アウタ部材21のアウタ外郭部27の裏面側に固着されて外郭部Ｃを形成する周縁部としての四角板枠状のインナ外郭部36、このインナ外郭部36の内周側の端部から下方に突設された四角筒状の取付片部37、インナ外郭部36の内周側に位置して各アウタ扉予定部26，26の裏面側に固着されて扉予定部Ｄを形成するインナ扉予定部38，38、これらインナ扉予定部38，38をインナ外郭部36に連結する複数、例えば５つずつのヒンジ部39及び複数、例えば一対ずつの連結部40が一体に形成されている。そして、インナ外郭部36とインナ扉予定部38，38とは、ほぼ面一すなわち同一平面上に形成されている。また、インナ部材22は、薄肉部25の各側部開裂予定部25c及び自由縁予定部25bに対向する位置に沿って、ヒンジ部39及び連結部40を除きインナ扉予定部38，38の外周部の部分は、小さい幅の切り溝状の溝部41により分離されている。
【００２３】
インナ外郭部36には、アウタ部材21の位置決め凸部31が挿入されてアウタ部材21に対してインナ部材22を位置決めする位置決め孔部43が形成されている。
【００２４】
また、取付片部37は、立ち壁、あるいはリテーナ取付用縦壁とも呼び得るもので、アウタ部材21の薄肉部25のヒンジ縁予定部25a，25a及び側部開裂予定部25c，25c，25c，25cの外側に沿って四角筒状に形成されている。そして、この取付片部37の長手となる前後に対向する面部37a，37aには、それぞれ取付部であり四角状の角孔である取付孔37bが複数形成され、これら取付孔37bに、ケース体15に設けたフック15cが係止され、カバー体18とケース体15とが連結されている。
【００２５】
また、各インナ扉予定部38は、通常時に折り畳んで収納されたエアバッグ17の膨出側を覆い、エアバッグ17の膨出時には各アウタ扉予定部26とともに扉部24を構成する部分であり、相対向する第１の対向辺部としてのヒンジ接続部38a及び不連続部38bと、これらヒンジ接続部38a及び不連続部38bよりも短い相対向する第２の辺部としての補強側縁部38c，38cとを備えた、平面四角形（長方形）状に形成されている。そして、これらインナ扉予定部38は、アウタ扉予定部26の背面側に配置され、このアウタ扉予定部26を補強する扉補強部である。
【００２６】
さらに、各ヒンジ部39は、外郭部Ｃと扉予定部Ｄとを変形可能に連結するものであり、本実施の形態では、前後の薄肉部25であるヒンジ縁予定部25a，25aに対向する部位に沿って、下方（図２に示す矢印Ｂ方向）すなわち収納されたエアバッグ17側に膨出するように湾曲してヒンジ縁予定部25a，25aを跨ぎ、インナ外郭部36と各インナ扉予定部38のヒンジ接続部38aとをそれぞれ可撓的に連結している。このように、ヒンジ部39は、薄肉部25から下方に離間して形成され、低温時などにも扉部24を容易に円滑に回動できるようになっている。
【００２７】
また、各連結部40は、外郭部Ｃと扉予定部Ｄとを変形可能に連結するものであり、本実施の形態では、両側の薄肉部25である側部開裂予定部25c，25c，25c，25cに対向する部位に沿って、これら側部開裂予定部25c，25c，25c，25cを跨ぎ、インナ外郭部36と各インナ扉予定部38の側縁部である補強側縁部38c，38cとを可撓的に連結している。さらに、各インナ扉予定部38に対応する連結部40，40は、両側方向であるインナ扉予定部38の長手方向に互いに線対称な位置に配置されており、前後方向である各インナ扉予定部38の短手方向の略中心部、すなわち側部開裂予定部25c，25cのそれぞれの中間位置に配置されている。すなわち、これら連結部40，40は、アウタ部材21の自由縁予定部25b、すなわちインナ扉予定部38の不連続部38bに対して所定距離、離間された位置となっている。また、これら連結部40は、両側に位置するヒンジ部39の付け根の側方に配置されている。したがって、連結部40，40により、取付片部37の一方の側面部37c、インナ外郭部36、連結部40、インナ扉予定部38のヒンジ接続部38a近傍、連結部40、インナ外郭部36及び取付片部37の他方の側面部37cに亘って連続する連結ラインＬが形成されている。さらに、これら連結部40の下部、すなわち収納されたエアバッグ17側には、各連結部40の破断特性を設定する溝状の切込部40aが形成されている。この切込部40aは、下方へと開く断面三角形状に形成されている。
【００２８】
また、表皮部は、アウタ部材21の表面側を覆って外観や触感を向上するもので、軟質の樹脂で形成されている。そして、この表皮部は、例えばアウタ部材21とインナ部材22とを接合した部材に対して一体的にインサート成形されている。なお、この表皮部は、アウタ部材21の材質などによっては省略することもできる。
【００２９】
そして、図６に示す状態から、図２及び図３に示すようにエアバッグ装置10が作動し、エアバッグ17に膨張ガスが流入して膨出すなわち膨張展開すると、エアバッグ17がケース体15内で膨張する膨張圧力がインナ部材22の前後のインナ扉予定部38，38を押圧し、このインナ扉予定部38，38を介してアウタ部材21の前後のアウタ扉予定部26，26を押し上げることにより、薄肉部25にエアバッグ17の膨張圧力が作用し、エアバッグ17が一次ピーク圧に達する隆起時に、両側部から中央部へと徐々に膨出するように隆起した、傾斜隆起形状を形成させる。
【００３０】
すなわち、扉予定部Ｄ（アウタ扉予定部26，26及びインナ扉予定部38，38）と外郭部Ｃ（アウタ外郭部27及びインナ外郭部36）との動きが連結部40，40，40，40により制限され、ヒンジ縁予定部25a，25aの延びやせん断による破断が抑制されて、自由縁予定部25bへのエアバッグ17の膨張圧力の作用が促される。換言すれば、側部開裂予定部25c，25c，25c，25cは連結部40，40，40，40によるインナ部材22のインナ扉予定部38，38の補強側縁部38c，38c，38c，38cとインナ外郭部36との連結によって、ヒンジ縁予定部25a，25aは各ヒンジ部39によるインナ部材22のインナ扉予定部38，38のヒンジ接続部38a，38aとインナ外郭部36との連結によって、それぞれ連結状態が維持されるため、扉予定部Ｄ（アウタ扉予定部26，26及びインナ扉予定部38，38）の横移動すなわち前後移動が制限されて食い止められ、各ヒンジ部39の伸び変形、及びヒンジ縁予定部25a，25aの伸びや破断が遅くなり、かつ、扉予定部Ｄ（アウタ扉予定部26，26及びインナ扉予定部38，38）の上方向への平行移動が防止されることで、自由縁予定部25bの開裂が促される。
【００３１】
この結果、まず自由縁予定部25bが開裂するとともに連結ラインＬに沿って連結された、すなわち両側部から中央部へと徐々に開口量が大きくなるエアバッグシュート45が形成される（図１及び図５）。そして、このエアバッグシュート45の作用により、扉予定部Ｄを円滑に大きく傾斜させるための回動力を得る。
【００３２】
この後、連結部40，40，40，40が破断し、すなわちアウタ部材21の弱部である薄肉部25が全長にわたり破断し、アウタ扉予定部26がアウタ部材21の他の部分から切り離されて扉部24が形成され、図２の想像線に示すように、各ヒンジ部39を中心としてアウタ扉予定部26，26がインナ扉予定部38，38とともに扉部24として回動すなわち展開し、エアバッグ17が膨出する。
【００３３】
このように、本実施の形態によれば、インナ部材22のインナ扉予定部38のヒンジ接続部38aとインナ外郭部36とを薄肉部25のヒンジ縁予定部25aを跨いでヒンジ部39により連結するとともに、インナ扉予定部38の補強側縁部38c，38cとインナ外郭部36とを破断可能に薄肉部25の側部開裂予定部25c，25cに沿って連結部40，40にて連結することにより、エアバッグ17の膨張圧力が薄肉部25のヒンジ縁予定部25a側に加わることを抑制してヒンジ部39の伸び変形及び薄肉部25のヒンジ縁予定部25aの破断を遅らせて薄肉部25の自由縁予定部25b側にエアバッグ17の膨張圧力を集中させることができ、扉部24を薄肉部25の自由縁予定部25b側からヒンジ縁予定部25a側へと順次円滑に開裂させて円滑に展開させることができる。
【００３４】
したがって、ヒンジ部39に加わる負荷を抑制できるため、ヒンジ部39を柔軟かつしなやかな部材とすることができるので、扉部24の回動（展開）動作の抵抗が生じにくく、エアバッグ17の一次ピーク圧の高まりを抑制でき、エアバッグ17及び扉予定部Ｄ（アウタ扉予定部26，26及びインナ扉予定部38，38）などに加わる衝撃を抑制できる。
【００３５】
そして、扉部24全体がエアバッグ17の膨出方向である上方向へと隆起して移動する隆起移動現象を抑制し、エアバッグ17が扉部24を開放する直前の内圧ピークを抑制し、エアバッグ装置10の起動からエアバッグ17の全展開までの過程全体としてエアバッグ17を円滑（マイルド）に展開させることができる。
【００３６】
また、連結部40が、インナ扉予定部38の不連続部38bから離間された位置でこのインナ扉予定部38の補強側縁部38c，38cとインナ外郭部36とを破断可能に薄肉部25の各側部開裂予定部25c，25cに沿って連結することにより、インナ扉予定部38のヒンジ接続部38a側に連結部40を介してインナ外郭部36へと連結する連結ラインＬを形成できる。したがって、この連結ラインＬを外れている薄肉部25の自由縁予定部25b側へとエアバッグ17の膨張圧力をより確実に集中させて、この薄肉部25の自由縁予定部25bの変形及び隆起をより確実に生起させ、この自由縁予定部25bをより円滑に開裂させることができる。
【００３７】
なお、上記の一実施の形態において、アウタ部材21がアウタ扉予定部26を一対備え、インナ部材22がインナ扉予定部38を一対備え、扉部24を前後に観音開き状に展開するいわゆるダブルフラップの構成を示したが、この構成に限られず、例えばアウタ部材21がアウタ扉予定部26を１つ備え、インナ部材22がインナ扉予定部38を１つ備え、例えば扉部24が前方向に展開するいわゆるシングルフラップの構成とすることもできる。
【００３８】
また、薄肉部25、アウタ扉予定部26及びインナ扉予定部38は、それぞれ四角形状に限らず、相対向する対をなす辺部を有する多角形状であれば、上記の一実施の形態と同様に対応できる。
【００３９】
さらに、上記の一実施の形態では、インストルメントパネル部13の助手席乗員用のエアバッグ装置10のカバー体18について説明したが、この構成に限られず、例えば、自動車の内装パネルとしてインストルメントパネル部13以外の場所に設置されるエアバッグ装置のカバー体に適用することもできる。
【産業上の利用可能性】
【００４０】
本発明は、自動車の助手席乗員用のエアバッグ装置のカバー体に適用できる。
【符号の説明】
【００４１】
10    エアバッグ装置
17    エアバッグ
18    カバー体
21    アウタ部材
22    インナ部材
24    扉部
25    脆弱部としての薄肉部
25a   第１の脆弱辺部としてのヒンジ縁予定部
25b   第１の脆弱辺部としての自由縁予定部
25c   第２の脆弱辺部としての側部開裂予定部
26    アウタ扉予定部
26a   第１の辺部としての長辺部
26b   第２の辺部としての短辺部
36    インナ外郭部
38    インナ扉予定部
38a   第１の対向辺部としてのヒンジ接続部
38b   第１の対向辺部としての不連続部
38c   第２の対向辺部としての補強側縁部
39    ヒンジ部
40    連結部
【図１】
0005871424.tif 000002
【図２】
0005871424.tif 000003
【図３】
0005871424.tif 000004
【図４】
0005871424.tif 000005
【図５】
0005871424.tif 000006
【図６】
0005871424.tif 000007